(57)【要約】【課題】使用者が台部上の辺縁に乗った際に転倒するのを抑制することができる浴槽台を提供する。【解決手段】浴槽台１０は、台部１１と、その台部１１を支持する複数の支持脚とを備える。台部１１は、天板部１５が矩形形状とされた座部１３を備える。天板部１５は、その４隅がそれぞれ対角線方向に張り出した張出隅部２１とされている。これら張出隅部２１により、天板部１５には、４つの各辺部１８ａ，１８ｂごとに、隣り合う張出隅部２１の間において天板部１５の内側に向けて凹む凹部２２が形成されている。【選択図】図２
2020168315.tif 000002
【特許請求の範囲】
【請求項１】
天板部が平面視において矩形形状とされている台部と、
その台部の下方に設けられた複数の支持脚と、を備え、
前記天板部は、その４つの隅部のうち隣り合う２つの隅部がそれぞれ外方に張り出した張出隅部とされており、
それら各張出隅部により、前記天板部には、隣り合う前記張出隅部の間において前記天板部の内側へ向けて凹む凹部が形成されていることを特徴とする浴槽台。
【請求項２】
前記支持脚は前記台部の４隅にそれぞれ配置されており、
前記天板部は、前記４つの隅部がそれぞれ対角線方向に張り出した前記張出隅部とされており、
それら４つの各張出隅部により、前記天板部には、４つの辺部ごとに、隣り合う前記張出隅部の間において前記天板部の内側へ向けて凹む前記凹部が形成されていることを特徴とする請求項１に記載の浴槽台。
【請求項３】
前記天板部は、長辺部と短辺部とを前記辺部として有する長方形状とされ、
前記長辺部では、前記凹部の深さが前記短辺部よりも深くなっていることを特徴とする請求項２に記載の浴槽台。
【請求項４】
前記天板部は、長辺部と短辺部とを前記辺部として有する長方形状とされ、
前記天板部には、前記各辺部ごとに、前記凹部における底部の両端側にそれぞれ前記底部に対して滑らかに繋がる円弧状をなす円弧部が形成され、
前記短辺部では、前記長辺部よりも前記円弧部の曲率が小さくされていることを特徴とする請求項２又は３に記載の浴槽台。
【請求項５】
前記長辺部では、前記凹部の前記底部が直線状に形成されていることを特徴とする請求項４に記載の浴槽台。
【請求項６】
前記各支持脚の下端部にはそれぞれ脚ゴムが取り付けられており、
前記天板部の前記各辺部ではそれぞれ、前記凹部が、平面視にて、隣り合う前記脚ゴムの間に入り込むように形成されていることを特徴とする請求項２乃至５のいずれか一項に記載の浴槽台。
【請求項７】
前記各支持脚の下端部にはそれぞれ脚ゴムが取り付けられており、
前記各張出隅部は、平面視にて、前記張出隅部の下方に配置された前記脚ゴムが当該張出隅部の外側にはみ出さないように形成されていることを特徴とする請求項２乃至６のいずれか一項に記載の浴槽台。
【請求項８】
前記支持脚は前記台部の４隅にそれぞれ配置されており、
前記各支持脚の下端部にはそれぞれ脚ゴムが取り付けられており、
隣り合う２つの前記張出隅部とそれら各張出隅部の下方に配置された前記各脚ゴムとをそれぞれ載置面上に載置することにより、前記天板部が上下に延びる向きで前記浴槽台を縦置きすることが可能とされていることを特徴とする請求項１乃至７のいずれか一項に記載の浴槽台。
【請求項９】
前記台部には、前記浴槽台の前記縦置き状態において上辺部となる部分に取っ手が設けられていることを特徴とする請求項８に記載の浴槽台。
【発明の詳細な説明】
【技術分野】
【０００１】
本発明は、浴槽台に関する。
【背景技術】
【０００２】
従来より、浴室の洗い場や浴槽内において踏み台や腰掛け等として用いられる浴槽台が知られている。一般に、浴槽台は、平面視の形状が矩形形状とされた台部と、その台部の４隅に設けられた複数の支持脚とを備えている（例えば特許文献１参照）。
【先行技術文献】
【特許文献】
【０００３】
【特許文献１】特許第６３７１６４２号公報
【発明の概要】
【発明が解決しようとする課題】
【０００４】
ところで、浴槽台を踏み台として用いる場合、使用者が台部上における辺縁に乗ることが考えられる。その場合、浴槽台が倒れる方向への荷重が生じて浴槽台が転倒してしまうことが懸念される。
【０００５】
本発明は、上記事情に鑑みてなされたものであり、使用者が台部上の辺縁に乗った際に転倒するのを抑制することができる浴槽台を提供することを主たる目的とするものである。
【課題を解決するための手段】
【０００６】
上記課題を解決すべく、第１の発明の浴槽台は、天板部が平面視において矩形形状とされている台部と、その台部の下方に設けられた複数の支持脚と、を備え、前記天板部は、その４つの隅部のうち隣り合う２つの隅部がそれぞれ外方に張り出した張出隅部とされており、それら各張出隅部により、前記天板部には、隣り合う前記張出隅部の間において前記天板部の内側へ向けて凹む凹部が形成されていることを特徴とする。
【０００７】
本発明によれば、台部において平面視矩形をなす天板部の４つの隅部のうち隣り合う２つの隅部がそれぞれ外方に張り出す張出隅部とされている。そして、それら各張出隅部により、天板部には、隣り合う張出隅部の間において天板部の内側へ向けて凹む凹部が形成されている。これにより、天板部（台部）の辺縁に使用者が乗った際に、浴槽台が倒れる方向への荷重を生じにくくすることができ、その結果、浴槽台が転倒するのを抑制することができる。
【０００８】
第２の発明の浴槽台は、第１の発明において、前記支持脚は前記台部の４隅にそれぞれ配置されており、前記天板部は、前記４つの隅部がそれぞれ対角線方向に張り出した前記張出隅部とされており、それら４つの各張出隅部により、前記天板部には、４つの辺部ごとに、隣り合う前記張出隅部の間において前記天板部の内側へ向けて凹む前記凹部が形成されていることを特徴とする。
【０００９】
本発明によれば、天板部の４つの隅部がそれぞれ対角線方向に張り出した張出隅部とされ、それにより、天板部の４つの辺部ごとに、隣り合う張出隅部の間で天板部の内側へ向けて凹む凹部が形成されている。この場合、使用者が天板部（台部）におけるいずれの辺縁に乗った際にも、浴槽台が倒れる方向への荷重を生じにくくすることができ、その結果、浴槽台が転倒するのを抑制することができる。
【００１０】
第３の発明の浴槽台は、第２の発明において、前記天板部は、長辺部と短辺部とを前記辺部として有する長方形状とされ、前記長辺部では、前記凹部の深さが前記短辺部よりも深くなっていることを特徴とする。
【００１１】
ところで、浴槽台を浴槽内で使用する場合には、天板部の各短辺部を浴槽の長辺と平行となるように浴槽台を浴槽内に配置するのが一般である。この場合、浴槽台は、天板部の各短辺部をそれぞれ浴槽の壁に近接させた状態で配置される。このように配置された浴槽台を踏み台として使用する場合、使用者は天板部上に乗って浴槽への出入りを行うことになる。また、浴槽台を腰掛けとして使用する場合、使用者は天板部の長辺側に足を配置した状態で台部上に座ることになる。
【００１２】
そこで、本発明では、このような浴槽台の使われ方に鑑み、天板部の長辺部では凹部の深さを深くし、短辺部では凹部の深さを浅くしている。この場合、使用者が天板部の上に座ったり天板部から立ち上がったりする際に、長辺部の凹部に足をしっかり引いた状態で立ち座りすることが可能となる。これにより、使用者が立ち座りする際、自らの足を当該使用者の重心近くに位置させることができるため、立ち座りをし易くすることができる。
【００１３】
その一方で、天板部の短辺部では、凹部の深さが浅くされているため、浴槽内に浴槽台を配置した際、天板部と浴槽の壁との間に隙間が発生するのを抑えることができる。これにより、使用者が天板部上に乗って浴槽へ出入りする際、その出入りをし易くすることができる。
【００１４】
第４の発明の浴槽台は、第２又は第３の発明において、前記天板部は、長辺部と短辺部とを前記辺部として有する長方形状とされ、前記天板部には、前記各辺部ごとに、前記凹部における底部の両端側にそれぞれ前記底部に対して滑らかに繋がる円弧状をなす円弧部が形成され、前記短辺部では、前記長辺部よりも前記円弧部の曲率が小さくされていることを特徴とする。
【００１５】
本発明によれば、天板部の各辺部ごとに、凹部における底部の両端側にそれぞれ当該底部に対して滑らかに繋がる円弧部が形成されている。この円弧部は、その曲率が長辺部よりも短辺部の方が小さくされているため、短辺部においては、底部に繋がる円弧部の長さを長くすることができる。これにより、浴槽台を浴槽内に配置した際に、天板部の短辺部と浴槽の壁との間に生じる隙間をより一層抑えることができる。
【００１６】
第５の発明の浴槽台は、第４の発明において、前記長辺部では、前記凹部の前記底部が直線状に形成されていることを特徴とする。
【００１７】
上記第４の発明では、凹部における円弧部の曲率が短辺部よりも長辺部の方が小さくされているため、長辺部においては円弧部の長さを短くすることができる。そのため、長辺部においては、凹部における底部の長さ（平面視長さ）を長く確保することができる。そして、本発明では、長辺部においては、凹部の底部が直線状とされている。これにより、長辺部の凹部を使用者が立ち座りする際に足を引き入れる足引きスペースとして利用する上で利用し易くすることが可能となっている。
【００１８】
第６の発明の浴槽台は、第２乃至第５のいずれかの発明において、前記各支持脚の下端部にはそれぞれ脚ゴムが取り付けられており、前記天板部の前記各辺部ではそれぞれ、前記凹部が、平面視にて、隣り合う前記脚ゴムの間に入り込むように形成されていることを特徴とする。
【００１９】
本発明によれば、天板部の各辺部ではそれぞれ、凹部が、平面視にて、隣り合う脚ゴムの間に入り込むように形成されている。この場合、使用者が天板部において（凹部に隣接する）辺縁に乗った際に、浴槽台が脚ゴムの外縁部を支点として倒れるのを抑制することができる。そのため、浴槽台の転倒を好適に抑制することができる。
【００２０】
第７の発明の浴槽台は、第２乃至第６のいずれかの発明において、前記各支持脚の下端部にはそれぞれ脚ゴムが取り付けられており、前記各張出隅部は、平面視にて、前記張出隅部の下方に配置された前記脚ゴムが当該張出隅部の外側にはみ出さないように形成されていることを特徴とする。
【００２１】
本発明によれば、各張出隅部は、平面視にて、張出隅部の下方に配置された脚ゴムが当該張出隅部の外側にはみ出さないように形成されている。この場合、浴槽台を浴槽内に配置する際、天板部（詳しくは張出隅部）よりも先に脚ゴムが浴槽の壁に当たり、天板部をそれ以上浴槽の壁に近づけることができなくなるのを抑制することができる。これにより、浴槽台を浴槽内に配置した際に天板部と浴槽の壁との間に隙間が生じるのをより確実に抑制することができる。
【００２２】
第８の発明の浴槽台は、第１乃至第７のいずれかの発明において、前記支持脚は前記台部の４隅にそれぞれ配置されており、前記各支持脚の下端部にはそれぞれ脚ゴムが取り付けられており、隣り合う２つの前記張出隅部とそれら各張出隅部の下方に配置された前記各脚ゴムとをそれぞれ載置面上に載置することにより、前記天板部が上下に延びる向きで前記浴槽台を縦置きすることが可能とされていることを特徴とする。
【００２３】
本発明によれば、隣り合う２つの張出隅部とそれら各張出隅部の下方に設けられた各脚ゴムとをそれぞれ床面等の載置面上に載置することにより浴槽台を縦置きすることができる。これにより、浴槽台を４点支持で安定した状態で縦置きすることが可能となる。
【００２４】
第９の発明の浴槽台は、第８の発明において、前記台部には、前記浴槽台の前記縦置き状態において上辺部となる部分に取っ手が設けられていることを特徴とする。
【００２５】
本発明によれば、浴槽台の縦置き状態において上辺部となる部分に取っ手が設けられているため、浴槽台を縦置きする際には取っ手を持って浴槽台を移動させることができる。
【図面の簡単な説明】
【００２６】
【図１】浴槽台を斜め上方から見た斜視図。
【図２】浴槽台を示す平面図。
【図３】張出隅部と凹部とを拡大して示す平面図。
【図４】脚ゴム周辺を拡大して示す底面図。
【図５】浴槽台を浴槽内に配置した状態を示す平面図。
【図６】（ａ）が従来の浴槽台の作用を説明するための図であり、（ｂ）が本実施形態の浴槽台の作用を説明するための図。
【図７】（ａ）が浴槽台が縦置きされた状態を示す側面図であり、（ｂ）が平面図である。
【発明を実施するための形態】
【００２７】
以下に、本発明を具体化した一実施の形態について図面を参照しつつ説明する。なお、図１は浴槽台１０を斜め上方から見た斜視図であり、図２は浴槽台１０を示す平面図である。
【００２８】
図１及び図２に示すように、浴槽台１０は、台部１１と、その台部１１を支持する複数の支持脚１２とを備える。台部１１は、座部１３と、その座部１３を下方から支えるフレーム体１４とを備える。座部１３は、合成樹脂材料により形成され、天板部１５と、その天板部１５の周縁部から下方に延びる側板部１６とを有している。天板部１５は、平面視の形状が矩形形状とされ、詳しくは長方形状とされている。この場合、天板部１５における４つの辺部１８には、２つの長辺部１８ａと２つの短辺部１８ｂとが含まれている。また、側板部１６は、天板部１５の周縁部に沿って環状に形成されている。
【００２９】
天板部１５の上面には座面シート１７が敷設されている。座面シート１７はクッション材により形成され、その上面が座面となっている。なお、座面シート１７は必ずしもクッション材により形成される必要はなく、ゴム材により形成されてもよい。
【００３０】
フレーム体１４は、金属材料により形成された平面視矩形の枠体からなる（図４も参照）。フレーム体１４は、座部１３の天板部１５の下面側に設けられ、その周囲が側板部１６により囲まれた状態で配置されている。このフレーム体１４に対して座部１３が着脱可能に取り付けられている。
【００３１】
フレーム体１４は、その周縁部の一部が座部１３の側板部１６よりも下方に延出しており、その延出した延出部分により取っ手３５が形成されている。取っ手３５は、台部１１の各長辺部にそれぞれ設けられている。これにより、浴槽台１０を移動させる際には、取っ手３５を持って移動させることが可能となっている。
【００３２】
支持脚１２は、上下に延びる筒状をなしており、金属製とされている。各支持脚１２は、フレーム体１４の４隅にそれぞれ取り付けられている。また、各支持脚１２の下端部には脚ゴム２７が取り付けられている。脚ゴム２７には、その底面部に吸盤２８が設けられている（図４参照）。脚ゴム２７と吸盤２８とはゴム材による一体成形により形成されている。
【００３３】
ここで、本浴槽台１０では、座部１３の天板部１５の平面視形状に特徴を有している。以下においては、その特徴的な構成について説明する。
【００３４】
図２に示すように、座部１３の天板部１５は、その４つの隅部がそれぞれ天板部１５の対角線方向に張り出した張出隅部２１とされている。具体的には、天板部１５における４つの隅部には、互いに対角に位置する２つの隅部が二組含まれている。そして、対角に位置する２つの隅部が、それら両隅部を結ぶ対角線の方向にそれぞれ張り出して張出隅部２１とされている。また、天板部１５には、各張出隅部２１が形成されていることで、４つの辺部１８ごとに凹部２２が形成されている。これらの凹部２２はそれぞれ、隣り合う張出隅部２１の間において天板部１５の内側に向けて凹んでいる。
【００３５】
続いて、張出隅部２１及び凹部２２の構成について図２に加え図３及び図４を用いながら説明する。図３は、張出隅部２１と凹部２２とを拡大して示す平面図である。図４は、脚ゴム２７周辺を拡大して示す底面図である。
【００３６】
まず、張出隅部２１について説明する。図２及び図３に示すように、各張出隅部２１はそれぞれ、平面視における張出側の外縁が円弧状をなす張出縁部２１ａとなっている。張出縁部２１ａは、上記張出側（換言すると天板部１５の対角線方向）に凸となる円弧状をなしている。また、各張出隅部２１の張出縁部２１ａはいずれも同じ曲率とされている。
【００３７】
各張出隅部２１の下方（詳しくは真下）にはそれぞれ支持脚１２が配置されており、さらには支持脚１２の下端部に取り付けられた脚ゴム２７が配置されている。各脚ゴム２７は、図４に示すように、略円盤状に形成されている。各脚ゴム２７は、その平面視における外縁のうち外側の外縁が円弧状をなす脚ゴム縁部２７ａとなっている。詳しくは、４つの脚ゴム２７のうち、対角に位置する２つの脚ゴム２７について見た場合、それら２つの脚ゴム２７の脚ゴム縁部２７ａは、それら各脚ゴム２７が並ぶ方向における外側の外縁となっている。
【００３８】
脚ゴム２７の脚ゴム縁部２７ａは、平面視にて、その脚ゴム２７の上方にある張出隅部２１の張出縁部２１ａと同じ円弧中心を有する円弧状をなしている。また、これら脚ゴム縁部２７ａ及び張出縁部２１ａはいずれもその曲率が同じとされている。このため、これら脚ゴム縁部２７ａ及び張出縁部２１ａは平面視において互いに重なった状態とされている。したがって、脚ゴム２７は、平面視にて、その上方の張出隅部２１から外側にはみ出さないように設けられている。
【００３９】
続いて、凹部２２について説明する。図２〜図４に示すように、凹部２２は、その底部３１が平面視において直線状に延びている。詳しくは、凹部２２の底部３１は、当該凹部２２が形成されている辺部１８の延びる方向に直線状に延びている。また、各凹部２２の底部３１はそれぞれ、平面視において、隣り合う脚ゴム２７の間に位置している。これにより、各凹部２２はそれぞれ、平面視にて、隣り合う脚ゴム２７の間に入り込むように形成されている。
【００４０】
天板部１５には、各凹部２２ごとに、凹部２２の底部３１の両端側にそれぞれ（平面視にて）円弧状をなす円弧部３２が形成されている。これら各円弧部３２はいずれも曲率が同じとされており、底部３１に対して滑らかに繋がっている。
【００４１】
天板部１５において凹部２２の底部３１と各円弧部３２とはいずれも天板部１５の外縁（換言すると凹部２２の外縁）を構成している。各円弧部３２はそれぞれ、底部３１側とは反対側で張出隅部２１の張出縁部２１ａと滑らかに繋がっている。したがって、各円弧部３２は、凹部２２の底部３１と張出隅部２１の張出縁部２１ａとを滑らかに繋ぐ繋ぎ部となっている。
【００４２】
天板部１５に形成された各凹部２２のうち、長辺部１８ａに形成された凹部２２（以下、長辺側凹部２２ａともいう）と、短辺部１８ｂに形成された凹部２２（以下、短辺側凹部２２ｂともいう）とは、互いの形状が相違している。そこで、以下においては、それら長辺側凹部２２ａ及び短辺側凹部２２ｂの相違点について説明する。なお、以下の説明では、長辺側凹部２２ａの底部３１及び円弧部３２についてはその符号にａを付し、短辺側凹部２２ｂの底部３１及び円弧部３２についてはその符号にｂを付す。
【００４３】
長辺側凹部２２ａでは、その深さＨ１が短辺側凹部２２ｂの深さＨ２よりも深くなっている（Ｈ１＞Ｈ２）。例えば、長辺側凹部２２ａの深さＨ１は短辺側凹部２２ｂの深さＨ２の約２倍となっている。また、長辺側凹部２２ａでは、各円弧部３２ａの曲率が短辺側凹部２２ｂの各円弧部３２ｂの曲率よりも大きくなっている。この場合、長辺側凹部２２ａでは、それに起因して、各円弧部３２ａの長さが短辺側凹部２２ｂの各円弧部３２ｂの長さよりも短くなっている。例えば、長辺側凹部２２ａの各円弧部３２ａの長さは短辺側凹部２２ｂの各円弧部３２ｂの長さの半分以下となっている。さらに、長辺側凹部２２ａでは、各円弧部３２ａの長さが短くされていること等に起因して、底部３１ａの長さ（平面視長さ）が短辺側凹部２２ｂの底部３１ｂの長さ（平面視長さ）よりも長くなっている。例えば、長辺側凹部２２ａの底部３１ａの長さは短辺側凹部２２ｂの底部３１ｂの長さの１．５倍〜２倍となっている。
【００４４】
以上が、天板部１５の平面視形状に関する説明である。なお、天板部１５は、全体として見ると、長辺部１８ａの延びる方向（以下、長辺方向ともいう）の中心線に対して線対称となるように形成されているとともに、短辺部１８ｂの延びる方向（以下、短辺方向ともいう）の中心線に対して線対称となるように形成されている。
【００４５】
続いて、浴槽台１０の使用方法について図５に基づいて説明する。図５は、浴槽台１０を浴槽内に配置した状態を示す平面図である。
【００４６】
図５に示すように、浴槽台１０を浴槽４５内で使用する場合には、座部１３の天板部１５の各短辺部１８ｂが浴槽４５の長辺と平行となるように浴槽台１０を浴槽４５内に配置する。この場合、浴槽台１０は、天板部１５の各短辺部１８ｂが浴槽４５の壁４５ａ（周壁）に近接した状態で配置される。
【００４７】
使用者Ｕは浴槽４５内に配置された浴槽台１０を踏み台として使用したり、腰掛けとして使用したりすることができる。使用者Ｕが浴槽台１０を踏み台として使用する場合、使用者Ｕは浴槽台１０の天板部１５上に乗って浴槽４５への出入りを行うことになる。ここで、使用者Ｕが浴槽４５への出入りを行うに際しては、天板部１５と浴槽４５の壁４５ａとの間にできるだけ隙間が生じていないことが望ましい。
【００４８】
その点、本浴槽台１０では、天板部１５の短辺部１８ｂにおいては、凹部２２ｂ（短辺側凹部２２ｂ）の深さを浅くしているため、浴槽台１０を浴槽４５内に配置した際に天板部１５と浴槽４５の壁４５ａとの間に隙間が発生するのを抑制することができる。このため、使用者Ｕが天板部１５上に乗って浴槽４５への出入りを行う際、その出入りをし易くすることができる。
【００４９】
また、使用者Ｕが浴槽台１０を腰掛けとして使用する場合には、使用者Ｕは天板部１５の長辺部１８ａ側に足を配置した状態で座部１３（天板部１５）の上に座ることになる。この点、本浴槽台１０では、天板部１５の長辺部１８ａにおいては、凹部２２ａ（長辺側凹部２２ａ）の深さを深くしているため、使用者Ｕが天板部１５の上に座ったり天板部１５から立ち上がったりする際に、長辺側凹部２２ａに足をしっかり引いた状態で立ち座りすることが可能となる。これにより、使用者Ｕが立ち座りする際、自らの足を当該使用者Ｕの重心近くに位置させることができるため、立ち座りをし易くすることができる。
【００５０】
なお、長辺側凹部２２ａは、使用者Ｕの立ち座りに際し使用者Ｕの足を引き入れるために用いられることから足引きスペースということもできる。
【００５１】
続いて、使用者が浴槽台１０を踏み台として使用する際の作用について、従来の浴槽台４０と対比しながら説明する。図６は、（ａ）が従来の浴槽台４０の作用を説明するための図であり、（ｂ）が本実施形態の浴槽台１０の作用を説明するための図である。
【００５２】
図６（ａ）に示すように、従来の浴槽台４０は、本実施形態の浴槽台１０と同様、台部４１と、その台部４１を支持する複数の支持脚４２とを備える。台部４１は、座部４３を有しており、その座部４３の天板部４４が平面視にて長方形状をなしている。但し、天板部４４は、上記実施形態の浴槽台１０と異なり、張出隅部や凹部を有していない。また、各支持脚４２の下端部には脚ゴム４７が取り付けられている。
【００５３】
従来の浴槽台４０を踏み台として使用する場合、使用者Ｕが天板部４４上における辺縁に乗る場合が考えられる。このような場合、浴槽台４０に、その浴槽台４０が倒れる方向への荷重が生じて浴槽台４０が転倒してしまうことが懸念される。すなわち、図６（ａ）にて一点鎖線で示すように、浴槽台４０が脚ゴム４７の外縁部を支点として転倒してしまうことが考えられる。
【００５４】
これに対して、本実施形態の浴槽台１０では、図６（ｂ）に示すように、天板部１５の各辺部１８ごとに凹部２２が設けられているため、天板部１５の辺縁に使用者Ｕが乗った場合に、使用者Ｕの足が、従来の浴槽台４０と比べ、脚ゴム２７の外縁部に対して内側に位置することになる。このため、使用者Ｕが天板部１５の辺縁に乗った際に、浴槽台１０に、その浴槽台１０が脚ゴム２７の外縁部を支点として倒れる方向への荷重が生じにくくなっており、その結果、浴槽台１０が転倒してしまうのを抑制することが可能となっている。また、天板部１５には、４つの各辺部１８ごとに凹部２２が設けられているため、使用者Ｕが天板部１５上におけるいずれの辺縁に乗った際にも、浴槽台１０が転倒するのを抑制することが可能となっている。
【００５５】
ところで、本浴槽台１０では、上述したように、天板部１５の４隅が張出隅部２１とされているため、それら張出隅部２１を利用して、浴槽台１０を縦置きすることが可能となっている。以下、この点について図７を用いながら説明する。図７は、（ａ）が浴槽台１０が縦置きされた状態を示す側面図であり、（ｂ）が平面図である。
【００５６】
図７（ａ）及び（ｂ）に示すように、浴槽台１０は、隣り合う２つの張出隅部２１と、それら各張出隅部２１の下方（真下）に配置された２つの脚ゴム２７とをそれぞれ床面等の載置面Ｇ上に載置することにより縦置きすることが可能となっている。すなわち、浴槽台１０を、天板部１５が上下方向に延びる向きで縦置きすることが可能となっている。詳しくは、本浴槽台１０では、張出隅部２１の張出縁部２１ａと、その張出隅部２１の下方に配置されている脚ゴム２７の脚ゴム縁部２７ａとが平面視にて互いに重なる円弧状をなしているため、浴槽台１０を縦置きした際、天板部１５が鉛直方向に延びるように配置される。
【００５７】
本浴槽台１０では、このように縦置きすることが可能となっていることで、浴槽台１０を使用した後、浴槽台１０を縦置き状態にして乾かしたりすることが可能となっている。また、２つの張出隅部２１と２つの脚ゴム２７とによる４点支持で縦置きすることができるため、浴槽台１０を安定した状態で縦置きすることができる。例えば、載置面上に凹凸等が生じている際にも、安定した状態で縦置きすることが可能となる。また、縦置きに際し、天板部１５については張出隅部２１だけが載置面Ｇ上に載置されるため、天板部１５を乾かし易くすることができる利点もある。
【００５８】
また、図７の例では、浴槽台１０が、天板部１５の各短辺部１８ｂ（換言すると台部１１の各短辺部）が上下方向に延びる向きで縦置きされている。この場合、浴槽台１０は、天板部１５の各長辺部１８ａ（換言すると台部１１の各長辺部）がそれぞれ天板部１５（台部１１）の上辺部及び下辺部となるように配置される。かかる浴槽台１０の配置状態では、台部１１の各長辺部に設けられた取っ手３５が台部１１の上辺部及び下辺部にそれぞれ配置される。そのため、浴槽台１０を縦置きする際には、台部１１の上辺部に配置されている取っ手３５を持って浴槽台１０を移動させることが可能となる。
【００５９】
以上、詳述した本実施形態の構成によれば、以下の優れた効果が得られる。
【００６０】
上述したように、本実施形態の浴槽台１０によれば、使用者が浴槽台１０を踏み台として使用する際、使用者が天板部１５上のいずれの辺縁に乗っても浴槽台１０が転倒するのを抑制することができる。具体的には、天板部１５の各辺部１８において、凹部２２を、平面視にて、隣り合う脚ゴム２７の間に入り込むように形成したため、使用者が天板部１５上のいずれの辺縁に乗っても、浴槽台１０が脚ゴム２７の外縁を支点として倒れるのを好適に抑制することができる。
【００６１】
天板部１５の各辺部１８ごとに、凹部２２における底部３１の両端側にそれぞれ当該底部３１に対して滑らかに繋がる円弧部３２を形成した。この円弧部３２は、その曲率が長辺部１８ａよりも短辺部１８ｂの方が小さくされているため、短辺部１８ｂにおいては、底部３１に繋がる円弧部３２ｂの長さを長くすることができる。これにより、浴槽台１０を浴槽４５内に配置した際に、天板部１５の短辺部１８ｂと浴槽４５の壁４５ａとの間に生じる隙間をより一層抑えることができる。
【００６２】
また、凹部２２における円弧部３２の曲率は短辺部１８ｂよりも長辺部１８ａの方が小さくされているため、長辺部１８ａにおいては円弧部３２ａの長さを短くすることができる。そのため、長辺部１８ａにおいては、凹部２２ａにおける底部３１ａの長さ（平面視長さ）を長く確保することができる。また、長辺部１８ａにおいては、さらに凹部２２ａの底部３１ａを直線状に延びるよう形成した。これにより、長辺側凹部２２ａを使用者が立ち座りする際の足引きスペースとして利用する上で利用し易くすることが可能となる。
【００６３】
また、長辺側凹部２２ａの底部３１ａを直線状に形成したことで、使用者が天板部１５の上に足を乗せる際、天板部１５上における広い範囲に亘り安定した状態で足を乗せることができる。
【００６４】
各張出隅部２１をそれぞれ、平面視にて、張出隅部２１の下方に配置された脚ゴム２７が当該張出隅部２１の外側にはみ出さないように形成した。この場合、浴槽台１０を浴槽４５内に配置する際、天板部１５（詳しくは張出隅部２１）よりも先に脚ゴム２７が浴槽４５の壁４５ａに当たり、天板部１５をそれ以上浴槽４５の壁４５ａに近づけることができなくなるのを抑制することができる。これにより、浴槽台１０を浴槽４５内に配置した際に天板部１５と浴槽４５の壁４５ａとの間に隙間が生じるのをより確実に抑制することができる。
【００６５】
本発明は上記実施形態に限らず、例えば次のように実施されてもよい。
【００６６】
・上記実施形態では、凹部２２の底部３１を直線状に形成したが、凹部２２の底部３１は必ずしも直線状である必要はない。例えば、短辺側凹部２２ｂの底部３１ｂを天板部１５の内側に向けて緩やかに凸となる円弧状に形成することが考えられる。
【００６７】
・上記実施形態では、長辺側凹部２２ａの円弧部３２ａの曲率を短辺側凹部２２ｂの円弧部３２ｂの曲率よりも小さくしたが、各円弧部３２ａ，３２ｂの曲率の大小関係は必ずしもこれに限定されない。例えば、長辺側凹部２２ａの円弧部３２ａの曲率を短辺側凹部２２ｂの円弧部３２ｂの曲率と同じとしてもよい。
【００６８】
・上記実施形態では、凹部２２の底部３１と張出隅部２１の張出縁部２１ａとを繋ぐ繋ぎ部を円弧部３２としたが。例えば、かかる繋ぎ部を底部３１と張出縁部２１ａとを直線状に繋ぐ直線部とする等、円弧部以外の形状としてもよい。
【００６９】
・上記実施形態では、長辺側凹部２２ａの深さＨ１を短辺側凹部２２ｂの深さＨ２よりも深くしたが（Ｈ１＞Ｈ２）、長辺側凹部２２ａの深さＨ１を短辺側凹部２２ｂの深さＨ２と同じとしたり（Ｈ１＝Ｈ２）、短辺側凹部２２ｂの深さＨ２より浅くしたりしてもよい（Ｈ１＜Ｈ２）。ただ、長辺側凹部２２ａを足引きスペースとして利用する上では、上記実施形態のようにＨ１＞Ｈ２とするのがよい。
【００７０】
・上記実施形態では、天板部１５の４つの隅部をそれぞれ張出隅部２１とすることで天板部１５の４つの辺部１８ごとに凹部２２を形成したが、かかる凹部２２は必ずしも４つの辺部１８にそれぞれ設ける必要はない。例えば、天板部１５の４つの辺部１８のうち各長辺部１８ａにのみ凹部２２を設けることが考えられる。この場合、天板部１５の各張出隅部２１をそれぞれ対角線方向に張り出すよう形成することに代えて、短辺部１８ｂの延びる方向（短辺方向）に張り出すように（詳しくは長辺部１８ａの延びる方向には張り出さず短辺部１８ｂの延びる方向にのみ張り出すように）形成することで、各長辺部１８ａにのみ凹部２２を設けることが考えられる。
【００７１】
また、天板部１５の４つの辺部１８のうちいずれか一の辺部１８にのみ、例えば一方の長辺部１８ａにのみ凹部２２を設けるようにしてもよい。この場合、天板部１５の４つの隅部のうち、上記一方の長辺部１８ａにおいて隣り合う２つの隅部のみ張出隅部２１とする。具体的には、これら各張出隅部２１をそれぞれ短辺方向に張り出すように形成する。
【００７２】
・上記実施形態では、凹部２２を、平面視にて、隣り合う脚ゴム２７の間に入り込むように形成したが、これを変更して、凹部２２を、平面視にて、隣り合う脚ゴム２７の間に入り込まないように形成してもよい。この場合にも、天板部４４が凹部や張出隅部を有しない従来の浴槽台４０と比べると、使用者が天板部１５上の辺縁に乗った際に使用者の足が脚ゴム２７の外縁部に対して内側に位置することになるため、浴槽台１０が転倒する方向への荷重を生じさせにくくすることができ、その結果、浴槽台１０の転倒を抑制することが可能となる。
【００７３】
・上記実施形態では、張出隅部２１の張出縁部２１ａを、その張出隅部２１の下方に配置された脚ゴム２７の脚ゴム縁部２７ａと、平面視にて、同じ曲率であってかつ同じ円弧中心を有する円弧状に形成したが、これを変更してもよい。例えば、張出縁部２１ａを、平面視にて、脚ゴム縁部２７ａよりも小さい曲率（換言すると、脚ゴム縁部２７ａよりも大きい曲率半径）であってかつ、脚ゴム縁部２７ａと同じ円弧中心を有する円弧状に形成してもよい。この場合、張出縁部２１ａは、平面視において、脚ゴム縁部２７ａよりも大きい円弧半径で脚ゴム縁部２７ａに対して同心円弧状に形成される。このような構成であっても、張出隅部２１は、平面視にて、その下方の脚ゴム２７が当該張出隅部２１からはみ出さないように形成されるため、浴槽台１０を浴槽４５内に配置する際、天板部１５よりも先に脚ゴム２７が浴槽４５の壁４５ａに当たってしまうのを抑制することができる。
【００７４】
・上記実施形態では、天板部１５を平面視において長方形状としたが、これを変更して、正方形状としてもよい。
【符号の説明】
【００７５】
１０…浴槽台、１１…台部、１２…支持脚、１３…座部、１５…天板部、１８…辺部、１８ａ…長辺部、１８ｂ…短辺部、２１…張出隅部、２２…凹部、２７…脚ゴム、３１…底部、３２…円弧部、３５…取っ手。
【図１】
2020168315.tif 000003
【図２】
2020168315.tif 000004
【図３】
2020168315.tif 000005
【図４】
2020168315.tif 000006
【図５】
2020168315.tif 000007
【図６】
2020168315.tif 000008
【図７】
2020168315.tif 000009